(57)【特許請求の範囲】
【請求項１】
プリンタと、該プリンタと結合可能なデジタルカメラからなる自動転送モードを有するシステムに用いられる該デジタルカメラであって、
前記デジタルカメラは、撮影した画像データを記録するデジタルカメラ側のメモリと、前記画像データを表示する液晶表示部と、前記メモリの記憶する前記画像データを前記液晶表示部に順次再生表示すると共に前記プリンタで印刷すべき画像データを選択するデジタルカメラ側操作部と、を備え、
前記自動転送モードの場合、前記デジタルカメラは、前記デジタルカメラ側メモリに記録された前記画像データを全て前記プリンタ側のメモリに転送し、該転送後、前記デジタルカメラは前記画像データを前記デジタルカメラ側メモリから自動的に消去し、
前記自動転送モードでない場合、前記デジタルカメラ側操作部の指示により前記メモリの記憶する前記画像データが前記液晶表示部に順次再生表示されると共に前記プリンタで印刷すべき画像データが選択されることを特徴とするデジタルカメラ。
【請求項２】
請求項１に記載のデジタルカメラであって、
前記画像データを前記デジタルカメラ側メモリから自動的に消去する際に、該画像データを消去するか否かについての確認メッセージを前記デジタルカメラの前記液晶表示部に表示することを特徴とするデジタルカメラ。
【請求項３】
プリンタと、該プリンタと結合可能なデジタルカメラからなる自動転送モードを有するシステムに用いられる該プリンタであって、
前記プリンタは、前記デジタルカメラから転送される画像データを記憶する着脱式プリンタ側メモリと、前記自動転送モードを選択すると共に印刷の開始を指示するプリンタ操作部と、を備え、
前記プリンタ側操作部により前記自動転送モードが選択された場合、前記プリンタは、前記デジタルカメラから転送された画像データを自動的に前記着脱式プリンタ側メモリに記録し、
前記プリンタ側操作部により前記自動転送モードが選択されていない場合、前記プリンタは、前記プリンタ側操作部の印刷開始の指示により、前記デジタルカメラの前記液晶表示部に表示された画像を印刷する、ことを特徴とするプリンタ。
【発明の詳細な説明】
【０００１】
【発明の属する技術分野】
本発明は、プリンタと一体に結合可能なデジタルカメラシステムに関し、特にその操作性の改善に関する。
【０００２】
【従来の技術】
従来、一般的にデジタルカメラとプリンタとは、接続コードを介して接続されるか、またはパソコンを経由して、パソコンに接続されているプリンタに接続されるようになっている。
【０００３】
【発明が解決しようとする課題】
前者の方法はコードの接続が煩雑で面倒であり、省スペースには向かない構造になっており、さらに電源を別々に入れなければならない等の問題があった。後者の方法では、パソコンを操作しなければならず操作が煩雑であり、システムも大きなものになってしまい、手軽で簡便とは到底いえない状態である。
【０００４】
本発明の課題は、デジタルカメラとプリンタを接続コードを介することなく着脱可能に一体に結合し、プリント時にはカメラの液晶画面を利用することにより、視認性に優れ、かつ、操作性の良好なプリンタシステムを提供することにある。
【０００５】
【課題を解決するための手段】
前記課題を解決するために本発明は、プリンタと、該プリンタと結合可能なデジタルカメラからなる自動転送モードを有するシステムに用いられる該デジタルカメラであって、
前記デジタルカメラは、撮影した画像データを記録するデジタルカメラ側のメモリと、前記画像データを表示する液晶表示部と、前記メモリの記憶する前記画像データを前記液晶表示部に順次再生表示すると共に前記プリンタで印刷すべき画像データを選択するデジタルカメラ側操作部と、を備え、
前記自動転送モードの場合、前記デジタルカメラは、前記デジタルカメラ側メモリに記録された前記画像データを全て前記プリンタ側のメモリに転送し、該転送後、前記デジタルカメラは前記画像データを前記デジタルカメラ側メモリから自動的に消去し、
前記自動転送モードでない場合、前記デジタルカメラ側操作部の指示により前記メモリの記憶する前記画像データが前記液晶表示部に順次再生表示されると共に前記プリンタで印刷すべき画像データが選択されることを特徴とするデジタルカメラに関する。
また、前記デジタルカメラにおいて、前記画像データを前記デジタルカメラ側メモリから自動的に消去する際に、該画像データを消去するか否かについての確認メッセージを前記デジタルカメラの前記液晶表示部に表示することを特徴とするデジタルカメラに関する。
また、プリンタと、該プリンタと結合可能なデジタルカメラからなる自動転送モードを有するシステムに用いられる該プリンタであって、前記プリンタは、前記デジタルカメラから転送される画像データを記憶する着脱式プリンタ側メモリと、前記自動転送モードを選択すると共に印刷の開始を指示するプリンタ操作部と、を備え、前記プリンタ側操作部により前記自動転送モードが選択された場合、前記プリンタは、前記デジタルカメラから転送された画像データを自動的に前記着脱式プリンタ側メモリに記録し、前記プリンタ側操作部により前記自動転送モードが選択されていない場合、前記プリンタは、前記プリンタ側操作部の印刷開始の指示により、前記デジタルカメラの前記液晶表示部に表示された画像を印刷する、ことを特徴とするプリンタに関する。
上記構成によれば、プリンタとデジタルカメラが一体結合のためスペースをとることなく簡易な結合構造となり、視認性および操作性が良好な撮影画像のプリントアウトのシステムを実現できる。
【０００６】
【発明の実施の形態】
以下、図面を参照して本発明の実施の形態を詳しく説明する。
図１は本発明によるプリンタシステムの実施例を示す平面図，図２は図１の正面図である。デジタルカメラ１は、裏面の中央に液晶画面６を有し、液晶画面６の左側に撮影，調整などのための複数のボタンからなる操作部１３が配置されている。液晶画面６の右側上部には画像送り選択ボタン１０が設けられている。
【０００７】
この画像送り選択ボタン１０は撮影した各駒を順次再生し、希望する画像を選択するために用いられ、プリント出力するときも同様に用いられる。デジタルカメラ１の上部右端部付近にはレリーズボタン１４が配置されている。プリンタ２の上面中央には、右側面に開口部１８ａを有する結合溝１８が設けられている。この結合溝１８はデジタルカメラ１を嵌合するときのガイドと、嵌合後の保持の役割を果たす。結合溝１８の左端部分にはコネクタ支持台１７（図３参照）が設けられている。プリンタ２の上面左端部付近にはデジタルカメラ１を装脱着するときにプリンタ２を押さえるためのグリップ３が具備されている。プリンタ２の上面下端部付近には電源ボタン９が、右端部にはプリントボタン１１が、中央部にはモード切り換えボタン１９がそれぞれ設けられている。
【０００８】
プリンタ２の前面（正面）には装着されたデジタルカメラ１を取り外すためのイジェクト操作ノブ７とプリントアウト部８が設けられている。プリンタ２の背面には印画紙１２を収容するプリンタトレイ４が装着されている。
【０００９】
デジタルカメラ１を装着する場合、グリップ３を押さえ、結合溝１８の開口部１８ａ側から液晶画面６を上側にしてデジタルカメラ１を挿入する。デジタルカメラ１は結合溝１８に案内されてデジタルカメラ下部のコネクタ雌１５がコネクタ支持台１７のコネクタ雄１６に嵌合して一体に結合し、ロック機構（図４参照）によりカメラがコネクタから抜けないようにロックが掛かる。
【００１０】
図３は、嵌合機構の実施の形態を示す斜視図である。
デジタルカメラ１のコネクタ雌１５は、カメラレンズ側に設けられ、その接続面はカメラ端部からＬだけ離れた位置になっている。なお、Ｌの値を０にして接続面をカメラ側面位置となるようにしても良い。コネクタ支持台１７はコの字形状をしており、その中心部にコネクタ雄１６が設けられている。コネクタ雌１５がコネクタ雄１６に嵌合するとともにカメラレンズ側のコネクタ周辺面１ａがコネクタ支持台１７の上面１７ａに接するとともに結合溝１８の側壁１８ａ，１８ｂがカメラの底面１ｂと上面１ｃにそれぞれ接するためカメラの嵌合時の位置は固定される。側壁１８ａには検出スイッチ１８ｃが設けられており、カメラの嵌合時にはカメラの底面１ｂに押圧される。検出スイッチ１８ｃが押圧されると検出スイッチはＯＮの状態になる。
【００１１】
図４は、本発明によるプリンタシステムの回路の実施の形態を示す図である。デジタルカメラをプリンタに装着すると、カメラ側Ｉ／Ｆ部５０とプリンタ側Ｉ／Ｆ部５１が電気接続される。操作部４３は図１に対応付けするとカメラ側操作部１３，画像送り選択ボタン１０を含む部分に、操作部５５は電源ボタン９，プリントボタン１１を含む部分にそれぞれ相当する。
【００１２】
操作部５５で電源をオンすると、電源回路５３は自装置をパワーオンするとともにデジタルカメラ側の電源制御回路４１にその電源エネルギーを送る。デジタルカメラのコントローラ（１）４２が電源制御回路４１を制御することによりプリンタ側からの電源エネルギーは電池４０に供給され、電池４０はフル充電状態でない場合には充電される。
【００１３】
コントローラ（１）４２は、撮像部４４，画像処理部４５で撮影処理され記憶されたメモリ４６の画像を読み出し、液晶ドライバ４７を介して液晶モニタ（液晶表示部に対応）４８に再生表示する。操作部４３の画像送り選択ボタンを操作することにより画像を順次再生表示し、プリントすべき画像を選択することができる。操作部５５のプリントボタンを押すと、コントローラ（２）５４はコントローラ（１）４２に制御信号を送り、コントローラ（１）４２はメモリ４６より表示されている画像を読み出し、コントローラ（２）５４に送る。コントローラ（２）５４はプリンタドライバ５７を駆動することにより送られてくる画像をプリンタ部５８でプリントする。なお、Ｉ／Ｆコネクタ５２とＩ／Ｆコネクタ４９はケーブル接続用のコネクタである。
【００１４】
図５は、カメラ装着時のフローチャートを示す図である。カメラ１が装着され検出スイッチ１８ｃがＯＮとなるとプリンタ２がパワーオンすると共に、デジタルカメラ側の電源制御回路４１に電源回路５３の電源エネルギーを送る。
【００１５】
その後、転送モードスイッチ１９が自動転送モードの場合には、デジタルカメラに記録された画像データは自動的にプリンタ内のメモリに全て転送される。さらに転送後、デジタルカメラに記録されている画像データは消去される。この際、デジタルカメラの液晶画面等に確認のメッセージを表示することも可能で、例えばデジタルカメラの画像送りボタン１０で消去するかしないかを液晶画面上のメッセージに従い選択し、レリーズボタン１４を押すことにより決定することができる。  また、プリンタ２のメモリはＰＣカード等の着脱式記録媒体とすることにより保存することができ、他の機器での使用も可能となる。画像データ転送後には、電池４０はフル充電状態でない場合には充電される。その後プリンタの電源ボタン９がＯＮになっていなければ、自動的にプリンタの電源はＯＦＦになる。ここで、転送モードスイッチ１９がＯＦＦの場合には、電池４０の充電のみ行う。
【００１６】
【発明の効果】
以上、説明したように本発明はプリンタとデジタルカメラが一体結合のためスペースをとることなく簡易な結合構造となり、視認性および操作性が良好なデジタルカメラ撮影画像のプリントアウトシステムを提供することができる。
【００１７】
また、デジタルカメラをプリンタに装着すると自動的にプリンタのメモリに転送され、デジタルカメラ内の画像データを消去し、デジタルカメラの電池をプリンタ側電源で充電するように構成することにより、デジタルカメラをプリンタに装着しておくだけで、画像データを保存しつつ、次の撮影時にはデジタルカメラ記録量が少ない等の問題がなく、画像データのデータの保存作業の手間が省け、時間の短縮化を図ることができる。
【図面の簡単な説明】
【図１】本発明によるプリンタシステムの実施の形態を示す平面図である。
【図２】図１の正面図である。
【図３】嵌合機構の実施の形態を示す斜視図である。
【図４】本発明によるプリンタシステムの回路の実施の形態を示す図である。
【図５】カメラ装着時のフローチャートの実施の形態を示す図である。
【符号の説明】
１・・・  デジタルカメラ
２・・・  プリンタ
３・・・  グリップ
４・・・  プリンタトレイ
６・・・  液晶画面
７・・・  イジェクト操作ノブ
８・・・  プリントアウト部
９・・・  電源ボタン
１０・・・  画像送り選択ボタン
１１・・・  プリントボタン
１２・・・  印画紙
１３・・・  カメラ操作部
１４・・・  レリーズボタン
１５・・・  コネクタ雌（画像出力端子部）
１６・・・  コネクタ雄
１７・・・  コネクタ支持台
１８・・・  結合溝
１９・・・  転送モードスイッチ
【図１】
0003618041.tif 000002
【図２】
0003618041.tif 000003
【図３】
0003618041.tif 000004
【図４】
0003618041.tif 000005
【図５】
0003618041.tif 000006